(57)【要約】【課題】  従来の異なる形状を有する取付具を提供する。【解決手段】  挿入柱１１、第１係止羽根１３及び第２係止羽根１５等を有し、第２係止羽根１５は第１係止羽根１３より挿入方向前進側に設けられ、第１係止羽根１３の後退角θ１は、第２係止羽根１５の後退角θ２より小さく、さらに、第１係止羽根１３の長さ寸法Ｌ１は、第２係止羽根１５の長さ寸法Ｌ２より大きい。【選択図】図１１
2013104537.tif 000002
【特許請求の範囲】
【請求項１】
内周面に雌ねじが形成された穴部に取り付けられる取付具であって、
前記穴部に取り付けられたときに、前記穴部の中心線に沿って前記穴部内を延びる挿入柱と、
前記挿入柱の側面側に設けられ、挿入方向後退側に向かうほど前記挿入柱から離隔する後退翼状に形成された弾性変形可能な一対の第１係止羽根と、
前記挿入柱のうち前記第１係止羽根より挿入方向前進側に設けられ、挿入方向後退側に向かうほど前記挿入柱から離隔する後退翼状に形成された弾性変形可能な一対の第２係止羽根とを備え、
前記第１係止羽根の後退角は、前記第２係止羽根の後退角より小さく、
さらに、前記第１係止羽根の長さ寸法は、前記第２係止羽根の長さ寸法より大きいことを特徴とする取付具。
【請求項２】
前記一対の第１係止羽根のうち、根元側部位には、その他の部位に比べて肉厚寸法を小さくした薄肉部が設けられており、
さらに、前記薄肉部は、前記第１係止羽根のうち前記挿入柱に面する内面側を、当該内面と反対側に窪ませた形状であることを特徴とする請求項１に記載の取付具。
【請求項３】
前記一対の第１係止羽根の先端側には、前記挿入柱から離隔する向きに突出した係止突起が設けられており、
さらに、前記係止突起の先端は鋭角状に形成されていることを特徴とする請求項２に記載の取付具。
【請求項４】
前記挿入柱の先端には、扁平円柱状のキャップが設けられていることを特徴とする請求項３に記載の取付具。
【請求項５】
前記一対の第２係止羽根は、前記キャップの軸方向端面に設けられていることを特徴とする請求項４に記載の取付具。
【請求項６】
前記挿入柱の挿入方向後退側には、前記穴部に取り付けられたときに、前記穴部の周囲に接触して弾性変形することにより、前記挿入柱に対して挿入方向後退向きの力を作用させる板バネ部が設けられていることを特徴とする請求項５に記載の取付具。
【請求項７】
前記板バネ部は、前記穴部に取り付けられたときに、前記穴部全体を覆う矩形板の板バネに構成されており、
さらに、前記挿入柱は、前記板バネ部の図心位置に設けられていることを特徴とする請求項６に記載の取付具。
【請求項８】
前記挿入柱、前記第１、第２係止羽根、前記キャップ及び前記板バネ部は、樹脂にて一体形成されていることを特徴とする請求項７に記載の取付具。
【発明の詳細な説明】
【技術分野】
【０００１】
本発明は、内周面に雌ねじが形成された穴部に取り付けられる取付具に関するものである。
【背景技術】
【０００２】
内周面に雌ねじが形成された穴部に取り付けられる取付具の一般的な構造は、柱状の中心軸の外周面に弾性変形可能な複数枚の羽根を設けてツリー状としたものである（例えば、特許文献１参照）。そして、この取付具に設けられた複数枚の羽根全ては、中心軸に対する角度が一定である。
【先行技術文献】
【特許文献】
【０００３】
【特許文献１】特開２００６−７１０６０号公報
【発明の概要】
【発明が解決しようとする課題】
【０００４】
本発明は、上記点に鑑み、従来の異なる形状を有する取付具を提供することを目的とする。
【課題を解決するための手段】
【０００５】
本発明は、上記目的を達成するために、請求項１に記載の発明では、内周面に雌ねじが形成された穴部（Ｗ１）に取り付けられる取付具であって、穴部（Ｗ１）に取り付けられたときに、穴部（Ｗ１）の中心線に沿って穴部（Ｗ１）内を延びる挿入柱（１１）と、挿入柱（１１）の側面側に設けられ、挿入方向後退側に向かうほど挿入柱（１１）から離隔する後退翼状に形成された弾性変形可能な一対の第１係止羽根（１３）と、挿入柱（１１）のうち第１係止羽根（１３）より挿入方向前進側に設けられ、挿入方向後退側に向かうほど挿入柱（１１）から離隔する後退翼状に形成された弾性変形可能な一対の第２係止羽根（１５）とを備え、第１係止羽根（１３）の後退角（θ１）は、第２係止羽根（１５）の後退角（θ２）より小さく、さらに、第１係止羽根（１３）の長さ寸法（Ｌ１）は、第２係止羽根（１５）の長さ寸法（Ｌ２）より大きいことを特徴とする。
【０００６】
これにより、請求項１に記載の発明では、大きさ及び後退角が異なる２種類の係止羽根（１３、１５）により、取付具を穴部（Ｗ１）に対して係止固定するので、様々な穴部（Ｗ１）に対して対応することができる。
【０００７】
また、仮に何らかの衝撃によりいずれかの係止羽根の係止状態が外れた場合であっても、全ての係止羽根（１３、１５）の係止状態が全て外れてしまう可能性は低いので、確実に取付具の係止状態を維持することができる。
【０００８】
請求項２に記載の発明では、一対の第１係止羽根（１３）のうち、根元側部位には、その他の部位に比べて肉厚寸法を小さくした薄肉部（１３Ｂ）が設けられており、さらに、薄肉部（１３Ｂ）は、第１係止羽根（１３）のうち挿入柱（１１）に面する内面側を、当該内面と反対側に窪ませた形状であることを特徴とする。
【０００９】
これにより、請求項２に記載の発明では、第１係止羽根（１３）の根元側部位に薄肉部（１３Ｂ）が設けられているので、一対の第１係止羽根（１３）を容易に窄ませるように弾性変形させることができる。そして、一対の第１係止羽根（１３）が窄むと、窄んだ部位は、太い挿入柱のように機能する。
【００１０】
このため、取付具を穴部（Ｗ１）に挿入する際の挿入力の向きが穴部（Ｗ１）の軸方向からずれた場合であっても、当該窄んだ部位により、取付具が挿入力によって座屈するように変形してしまうことを抑制できる。したがって、挿入力の向きが穴部（Ｗ１）の軸方向からずれた場合であっても、確実に取付具を穴部（Ｗ１）に挿入できるので、挿入作業性を向上させることができる。
【００１１】
請求項３に記載の発明では、一対の第１係止羽根（１３）の先端側には、挿入柱（１１）から離隔する向きに突出した係止突起（１３Ａ）が設けられており、さらに、係止突起（１３Ａ）の先端は鋭角状に形成されていることを特徴とする。
【００１２】
これにより、請求項３に記載の発明では、係止突起（１３Ａ）の先端を雌ねじの谷部に係止させることにより、取付具を強固に係止・固定することができる。
なお、請求項４に記載の発明では、挿入柱（１１）の先端には、扁平円柱状のキャップ（１７）が設けられていることを特徴とする。
【００１３】
請求項５に記載の発明では、一対の第２係止羽根（１５）は、キャップ（１７）の軸方向端面に設けられていることを特徴とする。
請求項６に記載の発明では、挿入柱（１１）の挿入方向後退側には、穴部（Ｗ１）に取り付けられたときに、穴部（Ｗ１）の周囲に接触して弾性変形することにより、挿入柱（１１）に対して挿入方向後退向きの力を作用させる板バネ部（１９）が設けられていることを特徴とする。
【００１４】
これにより、請求項６に記載の発明では、いずれかの係止羽根と雌ねじとの接触面圧を高めることができるので、取付具に衝撃又は振動が作用した場合であっても、いずれかの係止羽根（１３、１５）と雌ねじとの係止状態が解除されてしまうことを抑制できる。
【００１５】
請求項７に記載の発明では、板バネ部（１９）は、穴部（Ｗ１）に取り付けられたときに、穴部（Ｗ１）全体を覆う矩形板の板バネに構成されており、さらに、挿入柱（１１）は、板バネ部（１９）の図心位置に設けられていることを特徴とする。
【００１６】
これにより、請求項７に記載の発明では、例えば、板バネ部（１９）の端辺部近傍に壁面がある場合には、当該壁面と板バネ部（１９）の端辺部とが接触することにより、取付具が回転してしまうことを防止できる。したがって、振動等により取付具が回転し、取付具が穴部（Ｗ１）から脱落してしまうことを抑制できる。
【００１７】
なお、請求項８に記載の発明では、挿入柱（１１）、第１係止羽根（１３）、第２係止羽根（１５）、キャップ（１７）及び板バネ部（１９）は、樹脂にて一体形成されていることを特徴とする。
【００１８】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１９】
【図１】本発明の第１実施形態に係る取付具１の正面図である。
【図２】図１の左側面図である。
【図３】図１の右側面図である。
【図４】図１の上面図である。
【図５】図１の下面図である。
【図６】本発明の第１実施形態に係る取付具１の斜視図である。
【図７】本発明の第１実施形態に係る取付具１の斜視図である。
【図８】本発明の第１実施形態に係る取付具１の要部である矢じり状のスナップフィット部１０の六面図である。
【図９】（ａ）、（ｂ）は、本発明の第１実施形態に係る取付具１の使用・装着方法を示す図である。
【図１０】（ａ）、（ｂ）は、本発明の第１実施形態に係る取付具１の使用・装着方法を示す図である。
【図１１】本発明の第１実施形態に係る取付具１の正面拡大図である。
【図１２】本発明の第２実施形態に係る取付具１の斜視図である。
【発明を実施するための形態】
【００２０】
以下に説明する「発明の実施形態」は実施形態の一例を示すものである。つまり、特許請求の範囲に記載された発明特定事項等は、下記の実施形態に示された具体的手段や構造等に限定されるものではない。
【００２１】
そして、本実施形態は、複数本のハーネスを束ねた状態でそれらを基盤等に固定する取付具１に本発明を適用したものである。以下、本発明の実施形態を図面と共に説明する。
なお、図１は第１実施形態に係る取付具１の正面図であり、図２は図１の左側面図であり、図３は図１の右側面図であり、図４は図１の上面図であり、図５は図１の下面図である。
【００２２】
図６及び図７は第１実施形態に係る取付具１の斜視図であり、図８は取付具１の要部である矢じり状のスナップフィット部１０の六面図であり、図９及び図１０は取付具１の使用・装着方法を示す図である。
【００２３】
（第１実施形態）
１．取付具の構成・形状
１．１  取付具の概要
本実施形態に係る取付具１は、図１０に示すように、ネジ穴Ｗ１に挿入・装着されることを想定したものである。なお、ネジ穴Ｗ１は、基盤Ｗを貫通していない止まり穴に雌ねじが形成された穴部である。
【００２４】
取付具１は、図１に示すように、複数本のハーネスを束ねて括るためのバンド部３、及びネジ穴Ｗ１に挿入される矢じり状のスナップフィット部１０を有して構成されている。そして、本実施形態では、バンド部３とスナップフィット部１０全体とは、ナイロン等の樹脂にて一体成形されている。
【００２５】
なお、バンド部３は、結束バンドと同様に、バンド３Ａ及びバンド３Ａを係止固定する係止部３Ｂを有している。そして、バンド３Ａは、予め略Ｃ字状に成形されているとともに、その中間部に可撓性を発揮させるための薄肉部３Ｃが設けられている。
【００２６】
因みに、押圧プレート３Ｄは、バンド３Ａが係止部３Ｂに係止されたときに、複数本のハーネスをスナップフィット部１０側に押圧することにより、それらハーネスを確実に拘束するものである。
【００２７】
１．２  スナップフィット部の構成・形状
スナップフィット部１０は、図１１に示すように、挿入柱１１、第１係止羽根１３及び第２係止羽根１５等を有して構成されている。挿入柱１１は、図１０（ｂ）に示すように、取付具１が基盤Ｗに取り付けられたときに、ネジ穴Ｗ１の中心線に沿ってネジ穴Ｗ１内を延びる帯板状の柱部である。
【００２８】
そして、挿入柱１１の両側面それぞれには、図１１に示すように、第１係止羽根１３及び第２係止羽根１５が一体成形されている。なお、挿入柱１１の両側面とは、挿入柱１１のうち厚み方向と直交する２つの外壁面をいう。
【００２９】
一対の第１係止羽根１３は、弾性変形可能な係止手段であって、挿入方向後退側に向かうほど挿入柱１１から離隔する後退翼状に形成されている。そして、各第１係止羽根１３の先端側には、挿入柱１１から離隔するように挿入柱１１の延び方向と略直交する向きに突出した係止突起１３Ａが設けられており、これらの係止突起１３Ａの先端は鋭角状に形成されている。
【００３０】
また、各第１係止羽根１３のうち、根元側部位には、その他の部位に比べて肉厚寸法を小さくした薄肉部１３Ｂが設けられている。これらの薄肉部１３Ｂは、第１係止羽根１３のうち挿入柱１１に面する内面側を、当該内面と反対側に窪ませた形状である。
【００３１】
つまり、薄肉部１３Ｂは、第１係止羽根１３の根元側部位の肉厚を、例えば先端側部位の肉厚に比べて薄くした部位である。このため、第１係止羽根１３は薄肉部１３Ｂを中心として、挿入柱１１の延び方向と交差する向きに揺動するように弾性変形する。
【００３２】
また、一対の第１係止羽根１３は、ネジ穴Ｗ１側の面が略円筒面状に形成され、かつ、挿入柱１１側の面が略平面状に形成された略帯板状のものである。このため、一対の第１係止羽根１３が挿入柱１１に近づくように窄まった状態では、図１０（ｂ）に示すように、取付具１のうち一対の第１係止羽根１３が設けられた部位は、略円柱状となる。
【００３３】
また、一対の第１係止羽根１３より挿入方向前進側であって、挿入柱１１の先端には、図１１に示すように、扁平円柱状のキャップ１７が設けられている。
また、一対の第２係止羽根１５は、キャップ１７の軸方向端面１７Ａから挿入方向後退側に向かうほど挿入柱１１から離隔する後退翼状に形成されている。つまり、一対の第２係止羽根１５は、一対の第１係止羽根１３より挿入方向前進側に設けられた弾性変形可能な帯板状の係止手段を構成する。
【００３４】
そして、第１係止羽根１３の後退角θ１は、第２係止羽根１５の後退角θ２より小さく、かつ、第１係止羽根１３の長さ寸法Ｌ１は、第２係止羽根１５の長さ寸法Ｌ２より大きくなるように設定されている。
【００３５】
また、挿入柱１１の挿入方向後退側には板バネ部１９が設けられており、この板バネ部１９は、取付具１がネジ穴Ｗ１に取り付けられたときに、図１０（ｂ）に示すように、基盤Ｗのうちネジ穴Ｗ１の周囲に接触して弾性変形する。そして、板バネ部１９は、図１１に示すように、取付具１がネジ穴Ｗ１に取り付けられる前においては、板バネ部１９の板面より挿入柱１１側に曲率中心が存在する湾曲した形状となっている。
【００３６】
このため、取付具１がネジ穴Ｗ１に取り付けられた状態では、図１０（ｂ）に示すように、板バネ部１９が平板状に弾性変形した状態となるため、板バネ部１９は、挿入柱１１に対して挿入方向後退向きの力を作用させる。
【００３７】
そして、取付具１がネジ穴Ｗ１に取り付けられた状態では、板バネ部１９は、ネジ穴Ｗ１全体を閉塞するように覆う矩形板となる。また、取付具１を挿入方向から見たとき、挿入柱１１の軸心は、板バネ部１９の図心位置、つまり板バネ部１９の中心に位置する。因みに、「図心」とは、面積モーメントが釣り合う位置をいい、いわゆる「平面図形の重心」と一致する。
【００３８】
また、板バネ部１９の先端側には、図１１に示すように、取付具１がネジ穴Ｗ１に取り付けられたときに、板バネ部１９と基盤Ｗとを密着させるリップシール部１９Ａが設けられている。このため、板バネ部１９が平板状に弾性変形するまで、挿入柱１１をネジ穴Ｗ１に挿入すると、ネジ穴Ｗ１が板バネ部１９により密閉された状態となる。
【００３９】
２．取付具の使用・装着方法
図９（ａ）→図９（ｂ）→図１０（ａ）→図１０（ｂ）の順に示されるように、板バネ部１９が平板状に弾性変形するまで、挿入柱１１をネジ穴Ｗ１に挿入する。これにより、第１係止羽根１３の先端及び第２係止羽根１５の先端うち少なくとも２つの先端がネジ穴Ｗ１の谷部に係止された状態となる。
【００４０】
このとき、板バネ部１９が挿入柱１１に対して作用させる力の向きは、挿入方向後退向きであるので、各係止羽根１３、１５の先端は、ネジ穴Ｗ１の谷部に食い込んで行く。このため、取付具１が強固にネジ穴Ｗ１、つまり基盤Ｗに組み付けられる。
【００４１】
３．本実施形態に係る取付具の特徴
本実施形態では、大きさ及び後退角が異なる２種類の係止羽根１３、１５により、取付具１をネジ穴Ｗ１に対して係止固定するので、様々なネジ穴Ｗ１に対して対応することができる。
【００４２】
また、仮に何らかの衝撃によりいずれかの係止羽根の係止状態が外れた場合であっても、全ての係止羽根１３、１５の係止状態が全て外れてしまう可能性は低いので、確実に取付具１の係止状態を維持することができる。
【００４３】
また、本実施形態では、第１係止羽根１３の根元側部位に薄肉部１３Ｂが設けられているので、一対の第１係止羽根１３を容易に窄ませるように弾性変形させることができる。そして、一対の第１係止羽根１３が窄むと、図１０（ｂ）に示すように、窄んだ部位は、太い挿入柱のように機能する。
【００４４】
このため、取付具１をネジ穴Ｗ１に挿入する際の挿入力の向きがネジ穴Ｗ１の軸方向からずれた場合であっても、当該窄んだ部位により、取付具１が挿入力によって座屈するように変形してしまうことを抑制できる。したがって、挿入力の向きがネジ穴Ｗ１の軸方向からずれた場合であっても、確実に取付具１をネジ穴Ｗ１に挿入できるので、挿入作業性を向上させることができる。
【００４５】
また、本実施形態では、一対の第１係止羽根１３の先端側には、鋭角状の係止突起１３Ａが設けられているので、係止突起１３Ａの先端を雌ねじの谷部に係止させることにより、取付具１を強固に係止・固定することができる。
【００４６】
また、本実施形態では、挿入柱１１の挿入方向後退側に板バネ部１９が設けられているので、上述したように、いずれかの係止羽根１３、１５と雌ねじとの接触面圧を高めることができる。したがって、取付具１に衝撃又は振動が作用した場合であっても、いずれかの係止羽根１３、１５と雌ねじとの係止状態が解除されてしまうことを抑制できる。
【００４７】
また、本実施形態では、板バネ部１９は、ネジ穴Ｗ１に取り付けられたときに、ネジ穴Ｗ１全体を覆う矩形板状に構成され、かつ、挿入柱１１は、板バネ部１９の図心位置に設けられていることを特徴としている。
【００４８】
これにより、本実施形態では、例えば、板バネ部１９の端辺部近傍に壁面がある場合には、当該壁面と板バネ部１９の端辺部とが接触することにより、取付具１が回転してしまうことを防止できる。したがって、振動等により取付具１が回転し、取付具１がネジ穴Ｗ１から脱落してしまうことを抑制できる。
【００４９】
（第２実施形態）
本実施形態は、図１２に示すように、バンド部３に代えて電気基板等を固定する一般的な矢じり形スナップフィット２１をスナップフィット部１０に一体形成したものである。そして、本実施形態では、矢じり形スナップフィット２１とスナップフィット部１０とは、支柱部２１Ａを介して連結されている。
【００５０】
（その他の実施形態）
上述の実施形態では、止まり穴状のネジ穴Ｗ１に挿入する場合を例に本発明に係る取付具１を説明したが、本発明はこれに限定されるものではなく、例えば、貫通穴状のネジ穴Ｗ１にも適用することができる。
【００５１】
また、上述の実施形態では、第１係止羽根１３の先端に係止突起１３Ａを設けたが、本発明はこれに限定されるものではなく、第２係止羽根１５と同様に、係止突起１３Ａ野無い帯板状としてもよい。
【００５２】
また、上述の実施形態では、取付具１全体が樹脂にて一体成形されていたが、本発明はこれに限定されるものではない。
また、本発明は、特許請求の範囲に記載された発明の趣旨に合致するものであればよく、上述の実施形態に限定されるものではない。
【符号の説明】
【００５３】
１… 取付具    ３… バンド部  ３Ａ… バンド  ３Ｂ… 係止部
３Ｃ… 薄肉部  ３Ｄ… 押圧プレート  １０… スナップフィット部
１１… 挿入柱  １３… 第１係止羽根  １３Ａ… 係止突起  １３Ｂ… 薄肉部
１５… 第２係止羽根  １７… キャップ  １９… 板バネ部
【図１】
2013104537.tif 000003
【図２】
2013104537.tif 000004
【図３】
2013104537.tif 000005
【図４】
2013104537.tif 000006
【図５】
2013104537.tif 000007
【図６】
2013104537.tif 000008
【図７】
2013104537.tif 000009
【図８】
2013104537.tif 000010
【図９】
2013104537.tif 000011
【図１０】
2013104537.tif 000012
【図１１】
2013104537.tif 000013
【図１２】
2013104537.tif 000014